【手続補正書】
【提出日】平成28年6月15日(2016.6.15)
【手続補正１】
【補正対象書類名】明細書
【補正対象項目名】０００９
【補正方法】変更
【補正の内容】
【０００９】
上記目的を達成するため、本発明に係る遊技台は、その一態様として、複数種類の図柄が施され、回転駆動される複数のリールと、前記複数のリールの回転開始を指示するスタートスイッチと、前記スタートスイッチの操作に基づいて、予め定められた複数種類の役の内部当選の当否を抽選により判定する抽選手段と、前記複数のリールそれぞれに対応して設けられ、前記複数のリールの回転を個別に停止させるストップスイッチと、前記抽選手段の抽選結果及び前記ストップスイッチの停止操作に基づいて、前記複数のリールの回転の停止に関する停止制御を行う停止制御手段と、前記停止制御手段により停止表示された前記複数のリールの停止態様に基づいて、遊技者に利益を付与する利益付与手段と、前記抽選結果に応じた演出を行う演出手段と、を備えた遊技台であって、前記演出手段が第一の動画演出を実行している期間に受付可能であって、前記第一の動画演出を該第一の動画演出に繋がる第二の動画演出に切替えるための第一の切替指示を遊技者から受付ける第一の演出切替受付手段と、前記演出手段が前記第二の動画演出を実行している期間に受付可能であって、前記第二の動画演出を該第二の動画演出に繋がる第三の動画演出に切替えるための第二の切替指示を遊技者から受付ける第二の演出切替受付手段と、を備え、前記演出手段は、前記第二の動画演出を実行開始してから予め定めた時間が経過した後に前記第二の演出切替受付手段が前記第二の切替指示を受付けた場合は、前記第二の切替指示を受付けた時に、実行中の前記第二の動画演出を前記第三の動画演出に切替え、前記第二の動画演出を実行開始してから前記予め定めた時間が経過する前に前記第二の演出切替受付手段が前記第二の切替指示を受付けた場合は、前記予め定めた時間が経過するまで前記第二の動画演出を実行継続し、前記予め定めた時間の経過時に、実行中の前記第二の動画演出を前記第三の動画演出に切替えるものであり、前記第二の演出切替受付手段は、前記第二の動画演出の実行中に前記停止操作として押下されたストップスイッチの押下状態が非押下状態になったことに基づいて、前記第二の切替指示を受付けるものであり、前記第二の動画演出は、第一の動画再生部と、該第一の動画再生部の内容が最終まで進行した後に実行される第二の動画再生部と、から構成されるものであり、前記予め定めた時間は、前記第一の動画再生部の内容が最終まで進行するのに要する時間であり、前記第一の動画再生部の最終と前記第三の動画演出の最初は、ストーリーが繋がるように構成され、前記第二の動画再生部は、前記ストーリーの展開に影響を与えることがない内容の演出であり、前記演出手段は、前記第二の演出切替受付手段が前記第二の切替指示を受付けることなく、前記予め定めた時間が経過した場合には、前記第二の演出切替受付手段が前記第二の切替指示を受付けるまで、前記第二の動画再生部を継続して表示するものであり、前記第三の動画演出は、前記第二の動画演出により展開されたストーリーの結末を含む動画演出であり、前記停止操作として押下されたストップスイッチは、最終の停止操作として押下されたストップスイッチであり、前記第一の演出切替受付手段は、前記第一の動画演出の実行中に前記最終の停止操作として押下されるストップスイッチが押下状態になったことに基づいて、前記第一の切替指示を受付けるものであり、前記演出手段は、前記第一の動画演出の実行中に前記第一の演出切替受付手段が前記第一の切替指示を受付けた場合は、時間の経過に関わらず前記第一の切替指示を受付けた時に、実行中の前記第一の動画演出を前記第二の動画演出に切替えるものである、ことを特徴とする。
【手続補正２】
【補正対象書類名】特許請求の範囲
【補正対象項目名】全文
【補正方法】変更
【補正の内容】
【特許請求の範囲】
【請求項１】
複数種類の図柄が施され、回転駆動される複数のリールと、
前記複数のリールの回転開始を指示するスタートスイッチと、
前記スタートスイッチの操作に基づいて、予め定められた複数種類の役の内部当選の当否を抽選により判定する抽選手段と、
前記複数のリールそれぞれに対応して設けられ、前記複数のリールの回転を個別に停止させるストップスイッチと、
前記抽選手段の抽選結果及び前記ストップスイッチの停止操作に基づいて、前記複数のリールの回転の停止に関する停止制御を行う停止制御手段と、
前記停止制御手段により停止表示された前記複数のリールの停止態様に基づいて、遊技者に利益を付与する利益付与手段と、
前記抽選結果に応じた演出を行う演出手段と、を備えた遊技台であって、
前記演出手段が第一の動画演出を実行している期間に受付可能であって、前記第一の動画演出を該第一の動画演出に繋がる第二の動画演出に切替えるための第一の切替指示を遊技者から受付ける第一の演出切替受付手段と、
前記演出手段が前記第二の動画演出を実行している期間に受付可能であって、前記第二の動画演出を該第二の動画演出に繋がる第三の動画演出に切替えるための第二の切替指示を遊技者から受付ける第二の演出切替受付手段と、を備え、
前記演出手段は、
前記第二の動画演出を実行開始してから予め定めた時間が経過した後に前記第二の演出切替受付手段が前記第二の切替指示を受付けた場合は、前記第二の切替指示を受付けた時に、実行中の前記第二の動画演出を前記第三の動画演出に切替え、
前記第二の動画演出を実行開始してから前記予め定めた時間が経過する前に前記第二の演出切替受付手段が前記第二の切替指示を受付けた場合は、前記予め定めた時間が経過するまで前記第二の動画演出を実行継続し、前記予め定めた時間の経過時に、実行中の前記第二の動画演出を前記第三の動画演出に切替えるものであり、
前記第二の演出切替受付手段は、前記第二の動画演出の実行中に前記停止操作として押下されたストップスイッチの押下状態が非押下状態になったことに基づいて、前記第二の切替指示を受付けるものであり、
前記第二の動画演出は、第一の動画再生部と、該第一の動画再生部の内容が最終まで進行した後に実行される第二の動画再生部と、から構成されるものであり、
前記予め定めた時間は、前記第一の動画再生部の内容が最終まで進行するのに要する時間であり、
前記第一の動画再生部の最終と前記第三の動画演出の最初は、ストーリーが繋がるように構成され、
前記第二の動画再生部は、前記ストーリーの展開に影響を与えることがない内容の演出であり、
前記演出手段は、前記第二の演出切替受付手段が前記第二の切替指示を受付けることなく、前記予め定めた時間が経過した場合には、前記第二の演出切替受付手段が前記第二の切替指示を受付けるまで、前記第二の動画再生部を継続して表示するものであり、
前記第三の動画演出は、前記第二の動画演出により展開されたストーリーの結末を含む動画演出であり、
前記停止操作として押下されたストップスイッチは、最終の停止操作として押下されたストップスイッチであり、
前記第一の演出切替受付手段は、前記第一の動画演出の実行中に前記最終の停止操作として押下されるストップスイッチが押下状態になったことに基づいて、前記第一の切替指示を受付けるものであり、
前記演出手段は、前記第一の動画演出の実行中に前記第一の演出切替受付手段が前記第一の切替指示を受付けた場合は、時間の経過に関わらず前記第一の切替指示を受付けた時に、実行中の前記第一の動画演出を前記第二の動画演出に切替えるものである、ことを特徴とする遊技台。
【請求項２】
請求項１記載の遊技台であって、
前記演出手段は、前記第二の演出切替受付手段が前記第二の切替指示を受付けることなく、前記予め定めた時間が経過した場合には、前記第二の演出切替受付手段が前記第二の切替指示を受付けるまで、前記第二の動画再生部の少なくとも一部を繰り返して表示するものである、ことを特徴とする遊技台。